(57)【特許請求の範囲】
【請求項１】
記録媒体が収容されたカセット型記録媒体に貼着するカセットラベルであって、
記憶部と信号処理部を有する集積回路と、
前記集積回路に対して少なくとも信号の転送を行うアンテナ手段と、
貼着対象のカセット型記録媒体のいずれのカセットラベル貼着部にも貼着可能な形状で、前記集積回路と前記アンテナ手段を収容し、任意の文字・図形等が記載可能な表面を有し、当該カセットラベルの長手方向において、前記収容されているアンテナ手段と所定の距離の位置に、該所定の距離であることを明示するマークが付されているラベル基体と、
当該ラベル基体の前記表面とは反対側の面に設けられ、当該カセットラベルを前記カセット型記録媒体に貼着するための接着部材と
を有するカセットラベル。
【請求項２】
前記ラベル基体には、前記収容されているアンテナ手段の位置に、当該位置を明示するマークが付されている
請求項１記載のカセットラベル。
【請求項３】
前記ラベル基体には、当該カセットラベルの長手方向の中心に、該中心を明示する前記マークが付されている
請求項１記載のカセットラベル。
【請求項４】
前記カセットラベルは、３／４インチカセットテープのＳカセットのケースに貼着可能な前記形状であり、３／４インチカセットテープのＳカセット、ＭカセットおよびＬカセットのケースを貼着対象とする
請求項１記載のカセットラベル。
【請求項５】
前記カセットラベルは、１／２インチカセットテープのベータカセットのケースに貼着可能な前記形状であり、１／２インチカセットテープのベータカセットおよびＶＨＳカセットのケースを貼着対象とする
請求項１記載のカセットラベル。
【請求項６】
記録媒体がカセットケースに収容されているカセット型記録媒体であって、
当該カセットケースの背面に、記憶部と信号処理部を有する集積回路と、前記集積回路に対して少なくとも信号の転送を行うアンテナ手段と、前記集積回路と前記アンテナ手段を収容し、任意の文字・図形等が記載可能な表面を有するラベル基体とを有するカセットラベルが貼着されるカセットラベル貼着部と、
前記カセットラベルの所定の位置を合わせて前記カセットラベルの位置を決定するためのマークと
を有し、
前記カセットラベル貼着部に貼着される前記カセットラベルは、その長手方向において前記収容されているアンテナ手段と所定の距離の位置に該所定の距離であることを明示するマークが付されているカセットラベルであって、
前記カセットテープの前記マークは、前記カセットラベルの前記マークを合わせて当該カセットラベルの位置を決定するためのマークである
カセット型記録媒体。
【発明の詳細な説明】
【０００１】
【発明の属する技術分野】
本発明は、たとえばビデオカセットテープなどの記録媒体がカセットケースに収容されて用いられるカセット型記録媒体の、そのカセットケースに装着して使用するカセットラベル、および、そのカセットラベルを貼着するのに好適なカセットラベルに関する。
【０００２】
【従来の技術】
テレビカメラなどの撮像装置により撮影され、ビデオテープに記録されるビデオデータについては、その内容等の情報を容易に確認できるような状態で記録したい、また保存したいという要望がある。
特に、テレビジョン放送局において取材業務で使用する場合などにおいては、ビデオカムコーダなどにより撮影した多数のカット（連続して撮影された映像、あるいは、そのビデオデータ）の中から必要なカットを高速に選択して編集する必要がある。
【０００３】
これまで通常は、そのような記録したビデオデータの情報は、撮影時に別途紙面などにメモをしておき、再生時や編集時には、そのメモを見ながら所望のビデオデータを高速に選択するような方法が用いられている。
また、カセットライブラリなどの大量のビデオカセットを自動的に取り扱うシステムにおいては、バーコードが印刷されたカセットラベルを用いて、ビデオカセットテープの管理を行っている。
【０００４】
また近年、１／４インチデジタルビデオカセットテープなどにおいては、ビデオテープを収容するカセットにフラッシュメモリなどの半導体メモリ素子を組み込み、記録時間・記録内容・タイトルなどの情報を記録できるようにしているものもある。
そのようなビデオカセットテープに組み込まれた半導体メモリ素子に対するデータの記録および再生は、たとえばカセットケースの背面部の誤消去防止用ツメの近傍に設けられ、たとえば接地、電源、クロック、データの４本からなる電極を介して接触方式により行うものである。
【０００５】
しかしながら、そのようなこれまでの方法においては、種々の使用形態の制限や不便な点がある。
たとえば、紙面にメモをとる方法では、その紙を紛失する場合が生じたり、そのメモに基づいた処理を自動化できない。バーコードをラベルに印刷する方法においては、記録できる情報量に限りがあり十分ではない。
また、半導体メモリを用いる方法においては、電極を適切に接触させなければならず、その位置決めを精度よく行わなければいけないという問題や、埃の付着などにより接触不良になるという問題があった。
また、既にビデオデータが記録されている、たとえばテレビジョン放送局などの数十万本というような膨大な量のビデオカセットテープに対して、その記録されているビデオデータの情報を電子化して保持するためには、それらの方法は適切ではないという問題もある。
【０００６】
そこで本願発明者らは、既に特願平８−３００４４９号により出願しているような、半導体メモリなどの集積回路を収容し、非接触方式により外部とデータの転送が可能なカセットラベルを提案している。このカセットラベルにより記録したビデオデータの付加的な情報を管理するようにすれば、前述したような種々の問題は解決される。さらに、既にビデオデータの記録されているビデオカセットテープに対しても容易に適用することができる。
【０００７】
そのカセットラベルについて、図９および図１０を参照して説明する。
図９は、そのカセットラベル８ａの構成を示す図であり、（Ａ）は上面図、（Ｂ）は側面図である。
カセットラベル８ａは、ラベル基体１０の中に、ＩＣ２０と、アンテナ３０が埋設されて形成されている。図示のごとく、ＩＣ２０はカセットラベル８ａの長手方向の端部に、アンテナ３０は、カセットラベル１の中央部に配置されており、それらがアンテナ３０の一部により接続されている。
【０００８】
ラベル基体１０は、ラベル本体１１のビデオカセットテープに貼着する面側に両面接着剤１７が塗布され、さらにこの両面接着剤１７が剥離紙１８により被覆されて構成されている。
また、ラベル本体１１の両面接着剤１７が塗布されたのとは反対側の面、すなわちビデオカセットテープに貼着した時に表面となる面は記入面１１１となっており、たとえばビデオテープに記録したビデオデータのタイトル、記録日時、記録場所などの情報を記載可能になっている。
このようなカセットラベル８ａは、図１０に示すように、剥離紙１８が剥がされて両面接着剤１７により、ビデオカセットテープ９ａの背面のラベル形状に合わせて形成された凹部５４ａに貼着される。
【０００９】
【発明が解決しようとする課題】
しかしながらこのカセットラベルは、カセットテープの種類、換言すればカセットテープのサイズに応じて各々異なる種類のラベルを用いる必要があり、製造コストを下げる障害となっている上に、管理が面倒であるという問題がある。
【００１０】
具体的に説明すると、たとえばＤ−１，Ｄ−２（３／４インチカセット）のカセットテープは、図１１に示すように、Ｍカセット９ａ、Ｓカセット９ｂおよびＬカセット９ｃの３つの種類がある。そして各カセット９ａ〜９ｃには各々カセットラベルを貼着するための凹部５４ａ〜５４ｃが形成されている。各カセットテープに対しては、この凹部５４ａ〜５４ｃの形状に合わせて製造された、図１２に示すような、種類の異なるカセットラベル８ａ〜８ｃが用意され、各々貼着される。これら３種類のカセットラベル８ａ〜８ｃは、幅は同じであるものの、長さが各々異なる。
【００１１】
また、１／２インチカセットには、図１３に示すように、ベータカセット９ｄおよびＶＨＳカセット９ｅの２つの種類がある。そして各カセット９ｄ，９ｅには各々カセットラベルを貼着するための凹部５４ｄ，５４ｅが形成されており、この凹部５４ｄ，５４ｅの形状に合わせて製造された、図１４に示すような、種類の異なるカセットラベル８ｄ，８ｅが各々貼着される。この２種類のカセットラベル８ｄ，８ｅも、幅は同じであるものの、長さが各々異なる。
【００１２】
このような場合、通常の紙などののラベルであれば、最も大きなカセットラベルを供給しておき、小さなカセットテープに用いる場合には、適切な長さに切断して用いるという方法がある。しかし、このようなＩＣとアンテナを内部に収容しているようなカセットラベルでは、任意の位置で切断するとそれらのＩＣやアンテナを破壊してしまう恐れがあり、安易にそのような方法を用いることができない。
【００１３】
また、最も小さなカセットラベルを供給しておき、ラベル貼着用の凹部に丁度適合するわけではないものの、大きなカセットテープに対してもその小さなカセットラベルを用いるという方法もある。しかしながら、そのような方法ではカセットラベルの位置を特定できず、したがってカセットラベルに収容されているアンテナの位置も特定できず、このアンテナを介した外部とのデータの転送ができなくなるという問題を生じる。たとえば図１５に示すように、Ｌサイズカセット９ｃにＳサイズカセット９ｂ用のカセットラベル８ｂを貼着しようとすると、カセットラベル８ｂは図１５（Ａ）や図１５（Ｂ）に示すような任意の位置に貼着することができ、アンテナ３０の位置も不定となるのである。
【００１４】
ラベルの種類が増えると、製造コストがあがるばかりでなく、ユーザにとっても発注や在庫管理などでわずらわしさが生じるため、１種類のラベルを種々のカセットテープに適用したいという要望があるものの、このように、そのようなラベルを供給することができないのである。
【００１５】
したがって本発明の目的は、サイズの異なる種々のカセットテープなどのカセット型記録媒体に適用することができ、収容するアンテナを介して外部とも適切にデータの送受信ができるようなカセットラベルを提供することにある。
また本発明の他の目的は、そのカセット型記録媒体に丁度適合するのではないカセットラベルであっても、そのカセットラベルに収容されているアンテナを介して外部と適切にデータが送受信できるようにアンテナの位置を特定してそのカセットラベルを貼着することができるような、カセット型記録媒体を提供することにある。
【００１６】
【課題を解決するための手段】
前記課題を解決するために、本発明のカセットラベルにおいては、その形状を、貼着対象のいずれのカセット型記録媒体のカセットラベル貼着部にも貼着可能なサイズとし、さらにその収容するアンテナ手段と所定の位置関係となる位置に所定のマークを付した。これにより、このカセットラベルは貼着対象のいずれのカセット型記録媒体にも適用することができ、また、そのマークに基づいて、収容するアンテナ手段の位置が所定の位置となるようにカセットラベルを貼着することができる。
このマークは、たとえば、カセットラベルに収容されているアンテナ手段の位置を直接的に明示するようなマークや、直接的にはカセットラベルの長手方向の中心を明示し、間接的にアンテナ手段の位置を決定するようなマークなどである。
【００１７】
また、本発明のカセット型記録媒体においては、カセットラベルの所定の位置を合わせてそのカセットラベルを貼着できるような所定のマークを付した。これにより、カセットラベルのアンテナ手段の位置が所定の位置となるようにカセットラベルを貼着できる。
このマークは、たとえばカセットラベルに付されているその収容するアンテナ手段の位置を示すマークと合わせるためのマークや、直接的にはカセットラベルの端部を合わせ、間接的にそのアンテナ手段の位置を所定の位置に合わせるようなマークなどである。
【００１８】
【発明の実施の形態】
本発明の実施例について図１〜図８を参照して説明する。
まず、本発明に係わるカセットラベルの構成および構造について図１および図２を参照して説明する。
図１は、そのカセットラベル１の構成を示す図であり、（Ａ）は上面図、（Ｂ）は側面図である。
本実施例のこのカセットラベル１は、１／２インチカセットテープのベータカセットに貼着するのに丁度よい１４０[mm]×１８[mm]のサイズであり、ベータカセットをはじめ、１／２インチＶＨＳカセット、３／４インチＳカセット、Ｍカセット、Ｌカセットにも適用することのできるカセットラベルである。
【００１９】
カセットラベル１は、ラベル基体１０の中に、ＩＣ２０と、アンテナ３０が埋設されて形成されている。図示のごとく、ＩＣ２０はカセットラベル１の長手方向の端部に、アンテナ３０は、カセットラベル１の中央部に配置されており、それらはアンテナ３０の一部により接続されている。
このラベル基体１０は、ラベル本体１１のビデオカセットテープに貼着する面側に両面接着剤１７が塗布され、さらにこの両面接着剤１７が剥離紙１８により被覆されて構成されており、カセットラベル１をビデオカセットテープに貼着する際にはこの剥離紙１８を剥離することにより両面接着剤１７によりラベル本体１１がビデオカセットテープに貼着される。
【００２０】
ラベル本体１１の両面接着剤１７が塗布されたのとは反対側の面、すなわちビデオカセットテープに貼着した時に表面となる面は記入面１１１となっており、たとえばビデオテープに記録したビデオデータのタイトル、記録日時、記録場所などの情報を記載可能になっている。
また、カセットラベル１の長手方向の中心部の、記入面１１１の両辺部には、センターマーク４０が付されており、そこがカセットラベル１の中心であり、かつアンテナ３０が収容されている位置であることを明示している。
【００２１】
図２は、そのカセットラベル１の具体的構造を示す図である。
カセットラベルは、ラベル本体１１と両面接着剤１７とから構成されており、さらにラベル本体１１は、コート紙１２、補強材１４、ポリイミド基板１６が感圧性接着剤１３，１５により接着され一体的に形成された構成である。
コート紙１２は、表面、すなわち補強材１４と対抗する面とは反対側の面が記入面１１１となっている。
【００２２】
補強材１４は、カセットラベル１に曲げなどの力が加わっても、カセットラベル１の各部材またはＩＣ２０やアンテナ３０が割れたり切断されることの無いように一定の強度を確保するための部材である。この補強材１４には、ポリイミド基板１６と貼り合わされた時にＩＣ２０と重なる位置に、穴１４１が形成されており、ＩＣ２０の厚みを吸収するようになっている。また、この穴１４１により、コート紙１２、補強材１４およびポリイミド基板１６を貼り合わせた時にＩＣ２０の周辺に形成される空間には、ＩＣ保護材が充填される。
【００２３】
ポリイミド基板１６は、表面にＩＣ２０およびアンテナ３０が実装される基板であり、前述したように、ＩＣ２０はポリイミド基板１６の一方の端部に実装し、アンテナ３０はポリイミド基板１６の中央部に配線されている。
両面接着剤１７は、ラベル本体１１をビデオカセットテープに貼着するための部材であり、一方の面がポリイミド基板１６に貼着され、他方の面には剥離紙１８が貼り合わされている。したがって、このカセットラベル１を使用する時には、使用者はこの剥離紙１８を剥がしてカセットラベル１をビデオカセットテープに貼着する。
【００２４】
ＩＣ２０は、記憶保持可能なメモリ部と信号処理部を有する集積回路である。本実施例のカセットラベル１においては、ＩＣ２０は２Ｋバイトの記憶容量のメモリを有する。また、ＩＣ２０に具わる信号処理部は、１３ＭＨｚのクロックで動作するプロセッサ部であり、メモリに対するデータのリード／ライト、アンテナ３０を介した外部リード／ライトモジュールとのデータの転送などの処理を行う。
アンテナ３０は、カセットラベル１と外部リード／ライトモジュールとの間で接点を持たずに電力の供給および、信号の転送を行うためのアンテナである。
【００２５】
次に、本発明に係わるカセットテープについて図３を参照して説明する。
本実施例においては、３／４インチビデオカセットのＭカセットを例示して本発明に係わるビデオカセットテープについて説明する。
図３は、そのビデオカセットテープ２ａを示す図であり、（Ａ）は平面図、（Ｂ）は背面図である。
このビデオカセットテープ２ａの基本的な構造は通常の３／４インチＭカセットと同じであるが、このビデオカセットテープ２ａには、背面のカセットラベルを貼着するための凹部５４ａの中心部の両脇に、ビデオカセットテープ２ａの中心を示すマーク５５ａが付されている。このマーク５５ａは、ビデオカセットテープ２ａの中心を示すと同時に、ＶＴＲ装置に装着した時に、この位置に装置側のアンテナが配置され、データの送受信が行われることを示すマークである。
【００２６】
次に、このようなカセットラベル１をビデオカセットテープ２ａに貼着する方法について図３を参照して説明する。
前述したように、カセットラベル１はベータカセット用の１４０[mm]×１８[mm]のサイズである。ビデオカセットテープ２ａのカセットラベル貼着用の凹部５４ａは、Ｍカセット用の２１２[mm]×２０[mm]のカセットラベルが貼着可能なサイズなので、ベータカセット用のカセットラベル１は十分その中に貼着可能である。
そして、実際に貼着する際には、カセットラベル１とビデオカセットテープ２ａの両方に、マーク４０，５５ａが付されているので、図３（Ｂ）に示すように、これらのマーク同志が同じ位置に合わさるように、貼着する。そうすれば、ビデオカセットテープ２ａの本来アンテナが配置されるべき位置にカセットラベル１のアンテナが適切に配置され、データ転送などが適切に行える。
【００２７】
次にこのカセットラベル１の貼着されたビデオカセットテープ２ａの使用形態について図４を参照して説明する。
図４は、このビデオカセットテープ２ａを、ビデオテープレコーダ（ＶＴＲ）装置に装着し、カセットラベル１内のＩＣ２０に対してデータの転送を行う状態を示す図である。
図４に示すように、ビデオカセットテープ２ａがＶＴＲ装置に装着されると、表面部の蓋５５ａが開けられて、ビデオカセットテープ２ａ内に収容されていた図示せぬビデオテープが引き出され、ビデオデータ記録再生装置のヘッドに当接される。
【００２８】
一方で、ビデオカセットテープ２ａの背面部にはその中央付近にＶＴＲ装置本体に設けられたラベルリード／ライトモジュール９１から出されたアンテナ９０が配置される。そして、リード／ライトモジュール９１はこのアンテナ９０を介して、カセットラベル１のＩＣ２０に対する電力の供給、および、制御を行う。すなわち、ＩＣ２０内の信号処理部がメモリよりデータを読み出し、アンテナ３０およびアンテナ９０を介してリード／ライトモジュール９１へ転送を行ったり、あるいは、リード／ライトモジュール９１からＩＣ２０に対してデータを転送して、ＩＣ２０内の信号処理部がそのデータをメモリに記録する動作を行う。
なお、リード／ライトモジュール９１はさらにＶＴＲ装置側の信号処理部（ＣＰＵ）に接続され、ＶＴＲ装置本体側からコントロールされる。
【００２９】
このような動作によりＩＣ２０には、ビデオテープに記録する各ビデオデータの、カットごとの記録位置、記録時刻、記録場所、記録時間などのデータや、その記録内容を示すタイトルなどの情報、そのカットから得られたインデックスピクチャ、または、撮影者が撮影時に入力したたとえばグッドショットマークなどの情報、などが記録される。また、ビデオテープに記録されたビデオデータ全体の記録時刻、記録時間、記録場所、記録条件、記録内容を示す情報、撮影者、編集者、編集回数、テープの使用回数、および、ショットのテイクナンバーなどの情報も記録される。
【００３０】
これまで本実施例においては、カセットラベル１を３／４インチＭカセットのビデオカセットテープ２ａに貼着した場合を例示して説明をしたが、これ以外の種類のカセットテープについても本発明を適用することができるのは明らかであり、またそれらのカセットテープに対しても、カセットラベル１を共通的に用いることができる。そのような適用形態を図５および図６を参照して説明する。
図５は、３／４インチカセットテープのＭカセット２ａ，Ｓカセット２ｂおよびＬカセット２ｃに対してカセットラベル１を貼着した状態を示す図である。
図６は、１／２インチカセットテープのベータカセット２ｄおよびＶＨＳカセット２ｅに対してカセットラベル１を貼着した状態を示す図である。
【００３１】
まず、各カセットテープのカセットラベル貼着用の凹部５４ａ〜５４ｅのサイズは、３／４インチカセットテープのＭカセット２ａが２１２[mm]×２０[mm]、Ｓカセット２ｂが１４０[mm]×２０[mm]、Ｌカセット２ｃが３０３[mm]×２０[mm]、１／２インチカセットテープのベータカセット２ｄが１４０[mm]×１８[mm]、ＶＨＳカセット２ｅが１４８[mm]×１８[mm]であるので、１４０[mm]×１８[mm]のカセットラベル１はどのカセットテープにも貼着可能である。
そして、各ビデオカセットテープ２ａ〜２ｅには、各々その凹部５４ａ〜５４ｅの中心にマーク５５ａ〜５５ｅが付されている。
したがって、図３（Ｂ）を参照して説明したように、それら各マーク５５ａ〜５５ｅと、カセットラベル１のマーク４０が一致するようにカセットラベル１を貼着すれば、図５および図６に示すように、いずれの場合にも適切にカセットラベルを貼着することができる。
【００３２】
このように、本実施例のカセットラベル１は、これ１つで複数種類のカセットテープに対して適用することができる。
またその時に、表面に付されたマーク４０を用いることにより、どのようなサイズのカセットテープに対しても、そのカセットテープをＶＴＲ装置に装着した際に適切にアンテナを介したデータの送受信ができるような、適切な位置にカセットラベル１を用意に貼着することができる。
また、本実施例のビデオカセットテープ２ａ〜２ｅにおいては、カセットラベル貼着用の凹部に、カセットラベルのアンテナが配置されるべき位置を明示したマークが付されているので、たとえばサイズがその凹部に丁度一致しないようなカセットラベルであっても、適切にアンテナを介した送受信が適切に行えるような位置に適切に貼着することができる。
【００３３】
なお、本発明は本実施例に限れるものではなく、種々の改変が可能である。
たとえば、前述した実施例においては、本発明に係わるカセットラベルを本発明に係わるカセットテープに適用する場合を説明したが、これらはこのような適用形態に限られるものではなく、各々独立して有効に用いることができる。
【００３４】
たとえば、前述した実施例で用いたセンターマーク４０を有するカセットラベルなどは、なんら特殊なマークを有しない通常のカセットテープに対しても適用することができる。
一般的にカセットテープのセンター部分には、何らかのセンターを示すものがある。たとえば、図７に示すような、カセットケースの上下のハーフを接着するためのネジ５６や、リールのラチェット解除穴や、カセットガイド溝などである。したがって、そのような目標物の位置にカセットラベル１のマーク４０が来るようにカセットラベル１を貼着すればよい。このような方法を用いれば、任意の通常のカセットテープに対して本発明のカセットラベル１を適用することができる。
【００３５】
また逆に、本発明に係わるカセットテープは、なんら特殊なマークを有しない通常のカセットラベルに対しても適用することができる。
そのためには、カセットテープには、通常のカセットの貼着位置をより直接的に明示するようなマークが付されていることが望ましい。たとえば、図８に示すように、３／４インチＭサイズカセットであるビデオカセットテープ２ｆのその凹部５４ｆの縁部に、Ｓサイズカセット用のラベル８ｂを貼着する場合にその端部がくる位置を示すマーク５７を記載しておく。このようにしておけば、なんら特殊なマークを有しない通常のＳサイズ用のカセットラベルを、複数種類のカセットテープで使用可能な共通のカセットラベルとして用いることができる。
【００３６】
またこのように、カセットテープに付すマークは、前述した実施例のようなセンターマークに限られるものではない。カセットラベルの貼着する位置を直接的に示すことができ、それにより結果的にカセットラベルのアンテナが配置される位置を特定できるようなマークであれば、任意の位置の任意のマークでよい。
【００３７】
その他、カセットラベルに実装される回路なども、任意の回路を実装してよい。本実施例においては、１個のＩＣであるかのように説明をしたが、周辺回路を含む回路や、２つのＩＣで構成される回路であってもよく、１個のＩＣに限定されるものではない。
その他、アンテナの形状、各部材の材質、それらを接合する時に用いる接着剤、ビデオカセットテープの種類、そのサイズ、図５に示した外部アンテナの形態、外部リード／ライトモジュールの構成、ＩＣへ記録する情報の種類などは、何ら本実施例に限定されるものではなく、任意に改変してよい。
【００３８】
【発明の効果】
以上説明したように、本発明のカセットラベルによれば、貼着対象のいずれのカセット型記録媒体にも適用することができ、また、そのマークに基づいて、収容するアンテナ手段の位置が所定の位置となるようにカセットラベルを貼着することができる。すなわち、サイズの異なる種々のカセットテープなどのカセット型記録媒体に対して、収容するアンテナを介して外部とも適切にデータの送受信ができるように用いることができる。
また本発明のカセット型記録媒体によれば、カセットラベルのアンテナ手段の位置が所定の位置となるようにカセットラベルを貼着できる。すなわち、そのカセット型記録媒体に丁度適合するのではないカセットラベルであっても、そのカセットラベルに収容されているアンテナを介して外部と適切にデータが送受信できるようにアンテナの位置を特定してそのカセットラベルを貼着することができる。
【図面の簡単な説明】
【図１】本発明の一実施例のカセットラベルの構成を示す図であり、（Ａ）は上面図であり、（Ｂ）は側面図である。
【図２】図１に示したカセットラベルの具体的構造を示す図である。
【図３】本発明の一実施例のカセット型記録媒体の構成、および、そのカセット型記録媒体に図１に示したカセットラベルが貼着される状態を示す図であり、（Ａ）は平面図であり、（Ｂ）は背面図である。
【図４】カセットラベルの装着されたカセットテープを、ビデオデータ記録再生装置に装着し、カセットラベル内のＩＣに対してデータの転送が行われる状態を示す図である。
【図５】図１に示したカセットラベルが、３／４インチカセットのＳカセット、ＭカセットおよびＬカセットに各々貼着されている状態を示す図である。
【図６】図１に示したカセットラベルが、１／２インチカセットのベータカセットおよびＶＨＳカセットに各々貼着されている状態を示す図である。
【図７】図１に示したカセットラベルを、通常のカセットテープに貼着している状態を示す図である。
【図８】本発明に係わるカセットテープに、通常のカセットラベルを適切に貼着している状態を示す図である。
【図９】従来のカセットラベルの構成を示す図であり、（Ａ）は上面図であり、（Ｂ）は側面図である。
【図１０】図９に示したカセットラベルをカセットテープに貼着している状態を示す図である。
【図１１】３／４インチカセットのＳカセット、ＭカセットおよびＬカセット、および、それらに各々専用のカセットラベルが貼着されている状態を示す図である。
【図１２】３／４インチカセットのＳカセット、ＭカセットおよびＬカセットの専用のカセットラベルを示す図である。
【図１３】１／２インチカセットのベータカセットおよびＶＨＳカセット、および、それらに各々専用のカセットラベルが貼着されている状態を示す図である。
【図１４】１／２インチカセットのベータカセットおよびＶＨＳカセットの専用のカセットラベルを示す図である。
【図１５】ＬサイズのカセットテープにＳサイズ用のカセットラベルを貼着した場合を示す図であり、（Ａ）および（Ｂ）は各々任意の位置にカセットラベルが貼着された状態を示す図である。
【符号の説明】
１，８ａ〜８ｅ…カセットラベル、２ａ〜２ｆ，９ａ〜９ｅ…ビデオカセットテープ、１０…ラベル基体、１１…ラベル本体、１１１…記入面、１２…コート紙、１３…感圧性接着剤、１４…補強材、１５…感圧性接着剤、１６…ポリイミド基板、１７…両面接着剤、１８…剥離紙、２０…ＩＣ、３０…アンテナ、４０…マーク、５３ａ…蓋，５４ａ〜５４ｇ…凹部、５５ａ〜５５ｅ，５７…マーク、５６…ネジ、９０…アンテナ、９１…リード／ライトモジュール
【図１】
0003669106.tif 000002
【図２】
0003669106.tif 000003
【図３】
0003669106.tif 000004
【図４】
0003669106.tif 000005
【図５】
0003669106.tif 000006
【図６】
0003669106.tif 000007
【図７】
0003669106.tif 000008
【図８】
0003669106.tif 000009
【図９】
0003669106.tif 000010
【図１０】
0003669106.tif 000011
【図１１】
0003669106.tif 000012
【図１２】
0003669106.tif 000013
【図１３】
0003669106.tif 000014
【図１４】
0003669106.tif 000015
【図１５】
0003669106.tif 000016